(57)【要約】【課題】治具を持たない作業者が互いに嵌合される１組のコネクタの嵌合ロックを誤って解除することを防ぐことができるとともに、互いに嵌合される１組のコネクタに複数設けられた嵌合ロックを容易に解除することができるコネクタ嵌合ロック解除治具を提供すること。【解決手段】ロック解除操作部分が設けられていない互いに嵌合される１組のコネクタ１０、１１１のいずれか一方のコネクタ１０のコネクタハウジング１１に設けられたコネクタ嵌合ロックのための複数の弾性ロック片２１をロック解除方向に撓ませることができるように互いに連結された複数のロック解除片３０を有する。【選択図】図１
2018206522.tif 000002
【特許請求の範囲】
【請求項１】
ロック解除操作部分が設けられていない互いに嵌合される１組のコネクタのいずれか一方のコネクタのコネクタハウジングに設けられたコネクタ嵌合ロックのための複数の弾性ロック片をロック解除方向に撓ませることができるように互いに連結された複数のロック解除片
を有することを特徴とするコネクタ嵌合ロック解除治具。
【請求項２】
前記複数のロック解除片は、
前記複数の弾性ロック片によってロックされる側の前記コネクタのコネクタハウジングの嵌合部分に形成された複数のロック孔の内側からロック突起を係合するように内側に弾性的に撓むことができるように前記一方のコネクタのコネクタハウジングに設けられた前記複数の弾性ロック片に対して前記複数の弾性ロック片の固定端側から嵌合方向に向けて前記複数の弾性ロック片を保護する保護壁の内側に挿入され、かつ、前記複数の弾性ロック片を前記複数のロック孔との係合が解除されるように内側に撓ませる配置で互いに連結されている
ことを特徴とする請求項１に記載のコネクタ嵌合ロック解除治具。
【請求項３】
前記弾性ロック片が前記一方のコネクタのコネクタハウジングの両側部に設けられることによって一対の前記弾性ロック片が設けられた場合、
前記ロック解除片は、
前記一対の弾性ロック片を対応する前記ロック孔との係合が解除されるように内側に撓ませる間隔で対向配置された一対の前記ロック解除片が設けられ、
前記一対のロック解除片の基端部に連続され、かつ、前記一対のロック解除片が係合解除位置に配置された状態で前記一方のコネクタのコネクタハウジングの両側面に対向配置される一対の操作壁と、
前記一対の操作壁を前記両側面に押し当て可能に前記一対の操作壁の一端部が固定端となり、他端部が自由端となるように前記一対の操作壁の前記一端部を連結する連結部と、
を有してなり、
前記一対のロック解除片が係合解除位置に配置された状態で前記一対の操作壁が前記両側面に向けて押圧されることによって、前記一対の操作壁によって前記一方のコネクタのコネクタハウジングの両側面が挟持される
ことを特徴とする請求項２に記載のコネクタ嵌合ロック解除治具。
【請求項４】
前記複数のロック解除片は、
前記複数の弾性ロック片によってロックされる側の前記コネクタのコネクタハウジングの嵌合部分に形成された複数のロック孔の内側からロック突起を係合するように内側に弾性的に撓むことができるように前記一方のコネクタのコネクタハウジングに設けられた複数の弾性ロック片に対して前記複数の弾性ロック片の固定端側から嵌合方向に向けて前記複数の弾性ロック片を保護する保護壁の外側に位置され、かつ、前記複数の弾性ロック片を前記複数のロック孔との係合が解除されるように内側に撓ませるように前記保護壁に形成された開口に挿入可能に設けられた爪部を有して互いに連結されている
ことを特徴とする請求項１に記載のコネクタ嵌合ロック解除治具。
【請求項５】
前記弾性ロック片が前記一方のコネクタのコネクタハウジングの両側部に設けられることによって一対の前記弾性ロック片が設けられた場合、
前記ロック解除片は、
前記一対の弾性ロック片を対応する前記ロック孔との係合が解除されるように内側に撓ませるように対向配置された一対の前記ロック解除片が設けられ、
前記一対のロック解除片の基端部に連続された一対の操作壁と、
前記一対の操作壁を内側に押し当て可能に前記一対の操作壁の一端部が固定端となり、他端部が自由端となるように前記一対の操作壁の前記一端部を連結する連結部と、
を有してなり、
前記一対のロック解除片の前記爪部が対応する前記保護壁の前記開口に挿入された状態で前記一対の操作壁が内側に向けて押圧されることによって、前記一対のロック解除片の前記爪部が対応する前記開口内に挿入された状態で、前記一対のロック解除片によって対応する前記保護壁の外面側から前記コネクタハウジングが挟持される
ことを特徴とする請求項４に記載のコネクタ嵌合ロック解除治具。
【発明の詳細な説明】
【技術分野】
【０００１】
本発明は、互いに嵌合される１組のコネクタの嵌合ロックを解除するコネクタ嵌合ロック解除治具に関する。
【背景技術】
【０００２】
従来、互いに嵌合される１組のコネクタは、嵌合された状態をロックするためのロック構造を有してなる。
【０００３】
例えば、特許文献１には、プラグとソケットとが嵌合された状態をロックするためのロックレバーがソケットの両側部に設けられたコネクタが記載されている。
【先行技術文献】
【特許文献】
【０００４】
【特許文献１】特開２０００−３６３６０号公報
【発明の概要】
【発明が解決しようとする課題】
【０００５】
ところで、例えば通信装置に用いられる電源コネクタは、誤ってコネクタの嵌合ロックが解除された場合、通信回線が使用できなくなるため大きな問題となる。
【０００６】
この問題を解消するため、互いに嵌合される１組のコネクタにロック解除操作部分を設けずに専用の治具を用いて解除する方法を適用することが考えられる。
このように専用の治具を用いて嵌合ロックを解除するようにすると、治具の使用を許可された作業者だけに、ロックの解除を行うようにすることができ、コネクタの嵌合ロックが誤って解除されることをより効果的に防ぐことができる。
【０００７】
しかしながら、複数のロック部分が設けられている場合、治具を用いて１箇所ずつロックを解除する必要があるため煩雑な作業になってしまうという問題があった。
【０００８】
本発明は、上記に鑑みてなされたものであって、治具を持たない作業者が互いに嵌合される１組のコネクタの嵌合ロックを誤って解除することを防ぐことができるとともに、互いに嵌合される１組のコネクタに複数設けられた嵌合ロックを容易に解除することができるコネクタ嵌合ロック解除治具を提供することを目的とする。
【課題を解決するための手段】
【０００９】
上述した課題を解決し、目的を達成するために、本発明の請求項１に係るコネクタ嵌合ロック解除治具は、ロック解除操作部分が設けられていない互いに嵌合される１組のコネクタのいずれか一方のコネクタのコネクタハウジングに設けられたコネクタ嵌合ロックのための複数の弾性ロック片をロック解除方向に撓ませることができるように互いに連結された複数のロック解除片を有することを特徴とする。
【００１０】
また、本発明の請求項２に係るコネクタ嵌合ロック解除治具は、上記の発明において、前記複数のロック解除片は、前記複数の弾性ロック片によってロックされる側の前記コネクタのコネクタハウジングの嵌合部分に形成された複数のロック孔の内側からロック突起を係合するように内側に弾性的に撓むことができるように前記一方のコネクタのコネクタハウジングに設けられた前記複数の弾性ロック片に対して前記複数の弾性ロック片の固定端側から嵌合方向に向けて前記複数の弾性ロック片を保護する保護壁の内側に挿入され、かつ、前記複数の弾性ロック片を前記複数のロック孔との係合が解除されるように内側に撓ませる配置で互いに連結されていることを特徴とする。
【００１１】
また、本発明の請求項３に係るコネクタ嵌合ロック解除治具は、上記の発明において、前記弾性ロック片が前記一方のコネクタのコネクタハウジングの両側部に設けられることによって一対の前記弾性ロック片が設けられた場合、前記ロック解除片は、前記一対の弾性ロック片を対応する前記ロック孔との係合が解除されるように内側に撓ませる間隔で対向配置された一対の前記ロック解除片が設けられ、前記一対のロック解除片の基端部に連続され、かつ、前記一対のロック解除片が係合解除位置に配置された状態で前記一方のコネクタのコネクタハウジングの両側面に対向配置される一対の操作壁と、前記一対の操作壁を前記両側面に押し当て可能に前記一対の操作壁の一端部が固定端となり、他端部が自由端となるように前記一対の操作壁の前記一端部を連結する連結部と、を有してなり、前記一対のロック解除片が係合解除位置に配置された状態で前記一対の操作壁が前記両側面に向けて押圧されることによって、前記一対の操作壁によって前記一方のコネクタのコネクタハウジングの両側面が挟持されることを特徴とする。
【００１２】
また、本発明の請求項４に係るコネクタ嵌合ロック解除治具は、上記の発明において、前記複数のロック解除片は、前記複数の弾性ロック片によってロックされる側の前記コネクタのコネクタハウジングの嵌合部分に形成された複数のロック孔の内側からロック突起を係合するように内側に弾性的に撓むことができるように前記一方のコネクタのコネクタハウジングに設けられた複数の弾性ロック片に対して前記複数の弾性ロック片の固定端側から嵌合方向に向けて前記複数の弾性ロック片を保護する保護壁の外側に位置され、かつ、前記複数の弾性ロック片を前記複数のロック孔との係合が解除されるように内側に撓ませるように前記保護壁に形成された開口に挿入可能に設けられた爪部を有して互いに連結されていることを特徴とする。
【００１３】
また、本発明の請求項５に係るコネクタ嵌合ロック解除治具は、上記の発明において、前記弾性ロック片が前記一方のコネクタのコネクタハウジングの両側部に設けられることによって一対の前記弾性ロック片が設けられた場合、前記ロック解除片は、前記一対の弾性ロック片を対応する前記ロック孔との係合が解除されるように内側に撓ませるように対向配置された一対の前記ロック解除片が設けられ、前記一対のロック解除片の基端部に連続された一対の操作壁と、前記一対の操作壁を内側に押し当て可能に前記一対の操作壁の一端部が固定端となり、他端部が自由端となるように前記一対の操作壁の前記一端部を連結する連結部と、を有してなり、前記一対のロック解除片の前記爪部が対応する前記保護壁の前記開口に挿入された状態で前記一対の操作壁が内側に向けて押圧されることによって、前記一対のロック解除片の前記爪部が対応する前記開口内に挿入された状態で、前記一対のロック解除片によって対応する前記保護壁の外面側から前記コネクタハウジングが挟持されることを特徴とする。
【発明の効果】
【００１４】
本発明の請求項１に係るコネクタ嵌合ロック解除治具は、前記複数のロック解除片がロック解除操作部分が設けられていない互いに嵌合される１組のコネクタのいずれか一方のコネクタのコネクタハウジングに設けられたコネクタ嵌合ロックのための複数の弾性ロック片をロック解除方向に撓ませることができるように互いに連結され、前記複数の弾性ロック片を同時にロック解除することができるので、治具を持たない作業者が互いに嵌合される１組のコネクタの嵌合ロックを誤って解除することを防ぐことができるとともに、互いに嵌合される１組のコネクタに複数設けられた嵌合ロックを容易に解除することができる。
【００１５】
本発明の請求項２に係るコネクタ嵌合ロック解除治具は、前記複数のロック解除片が前記複数の弾性ロック片の固定端側から嵌合方向に向けて前記複数の弾性ロック片を保護する前記保護壁の内側に挿入され、かつ、前記複数の弾性ロック片を前記複数のロック孔との係合が解除されるように内側に撓ませる間隔で互いに連結されているので、前記保護壁によって保護されることによって作業者が誤ってロックを解除することができない前記複数の弾性ロック片と前記複数のロック孔との係合を同時に解除することができ、結果的に、治具を持たない作業者が互いに嵌合される１組のコネクタの嵌合ロックを誤って解除することを防ぐことができるとともに、互いに嵌合される１組のコネクタに複数設けられた嵌合ロックを容易に解除することができる。
【００１６】
本発明の請求項３に係るコネクタ嵌合ロック解除治具は、前記一対のロック解除片が係合解除位置に配置された状態で前記一対の操作壁が前記両側面に向けて押圧されることによって、前記一対の操作壁によって前記一方のコネクタのコネクタハウジングの両側面が挟持されるようになっているので、当該コネクタ嵌合ロック解除治具によって嵌合ロックを解除した後、前記一対の操作壁によって前記両側面を挟持した状態で前記一方のコネクタのコネクタハウジングを嵌合相手コネクタハウジングとの嵌合が外れる方向に引っ張ることによって前記一方のコネクタのコネクタハウジングを嵌合相手コネクタハウジングから外すことができ、結果的に、前記一対の操作壁を用いた当該コネクタ嵌合ロック解除治具による嵌合ロック解除作業に連続して、前記一方のコネクタのコネクタハウジングを嵌合相手コネクタハウジングから外す作業を行うことができる。
【００１７】
本発明の請求項４に係るコネクタ嵌合ロック解除治具は、前記複数のロック解除片が前記複数の弾性ロック片の固定端側から嵌合方向に向けて前記複数の弾性ロック片を保護する前記保護壁の外側に位置され、かつ、前記複数の弾性ロック片を前記複数のロック孔との係合が解除される内側に撓ませるように前記保護壁に形成された開口に挿入可能に設けられた爪部を有して互いに連結されているので、前記保護壁によって保護されることによって作業者が誤ってロックを解除することができない前記複数の弾性ロック片と前記複数のロック孔との係合を同時に解除することができ、結果的に、治具を持たない作業者が互いに嵌合される１組のコネクタの嵌合ロックを誤って解除することを防ぐことができるとともに、互いに嵌合される１組のコネクタに複数設けられた嵌合ロックを容易に解除することができる。
【００１８】
本発明の請求項５に係るコネクタ嵌合ロック解除治具は、前記一対のロック解除片が係合解除位置に配置された状態で前記一対の操作壁が内側に向けて押圧されることによって、前記一対のロック解除片の前記爪部が対応する前記開口内に挿入された状態で、前記一対のロック解除片によって対応する前記保護壁の外面側から前記一方のコネクタのコネクタハウジングが挟持されるようになっているので、当該コネクタ嵌合ロック解除治具によって嵌合ロックを解除した後、前記一対のロック解除片によって前記一方のコネクタのコネクタハウジングを前記保護壁の外面側から挟持した状態、かつ、前記爪部を前記開口に引っ掛けた状態で前記一方のコネクタのコネクタハウジングを嵌合相手コネクタハウジングとの嵌合が外れる方向に引っ張ることによって前記一方のコネクタのコネクタハウジングを嵌合相手コネクタハウジングから外すことができ、結果的に、前記一対の操作壁を用いた当該コネクタ嵌合ロック解除治具による嵌合ロック解除作業に連続して、前記一方のコネクタのコネクタハウジングを嵌合相手コネクタハウジングから外す作業を行うことができる。
【図面の簡単な説明】
【００１９】
【図１】図１は、（ａ）が本発明の実施例１に係るコネクタ嵌合ロック解除治具を互いに嵌合された一組のコネクタのロックを解除する位置にセットする前の状態を示した斜視図であり、（ｂ）がコネクタ嵌合ロック解除治具を互いに嵌合された一組のコネクタのロックを解除する位置にセット完了した状態を示した斜視図である。
【図２】図２は、一組のコネクタが嵌合される前の状態を示した斜視図である。
【図３】図３は、両側部に嵌合ロック部が設けられたコネクタハウジングを表裏両面から視た斜視図である。
【図４】図４は、（ａ）が両側部に嵌合ロック部が設けられたコネクタハウジングを端子挿入口側から視た図であり、（ｂ）が（ａ）に示したコネクタハウジングの上面図である。図５は、コネクタ嵌合ロック解除治具の斜視図である。
【図５】図５は、本発明の実施例１に係るコネクタ嵌合ロック解除治具の斜視図である。
【図６】図６は、コネクタ嵌合ロック解除治具を用いて一組のコネクタの嵌合ロックを解除する手順と各部の動作について説明するための図である。
【図７】図７は、実施例１に係るコネクタ嵌合ロック解除治具の変形例のコネクタ嵌合ロック解除治具の斜視図である。
【図８】図８は、（ａ）が本発明の実施例２に係るコネクタ嵌合ロック解除治具を互いに嵌合された一組のコネクタの嵌合ロックを解除する位置にセットする前の状態を示した斜視図であり、（ｂ）がコネクタ嵌合ロック解除治具を互いに嵌合された一組のコネクタのロックを解除する位置にセット完了した状態を示した斜視図である。
【図９】図９は、本発明の実施例２に係るコネクタ嵌合ロック解除治具の斜視図である。
【図１０】図１０は、（ａ）が本発明の実施例３に係るコネクタ嵌合ロック解除治具を互いに嵌合された一組のコネクタのロックを解除する位置にセットする前の状態を示した斜視図であり、（ｂ）がコネクタ嵌合ロック解除治具を互いに嵌合された一組のコネクタのロックを解除する位置にセット完了した状態を示した斜視図である。
【図１１】図１１は、一組のコネクタが嵌合される前の状態を示した斜視図である。
【発明を実施するための形態】
【００２０】
以下、図面を参照して、本発明に係るコネクタ嵌合ロック解除治具の好適な実施例を詳細に説明する。
【実施例１】
【００２１】
図１は、（ａ）が本発明の実施例１に係るコネクタ嵌合ロック解除治具１を互いに嵌合された一組のコネクタ１０、１１０のロックを解除する位置にセットする前の状態を示した斜視図であり、（ｂ）がコネクタ嵌合ロック解除治具１を互いに嵌合された一組のコネクタ１０、１１０のロックを解除する位置にセット完了した状態を示した斜視図である。図２は、一組のコネクタ１０、１１０が嵌合される前の状態を示した斜視図である。図３は、両側部に嵌合ロック部２０、２０が設けられたコネクタハウジング１１を表裏両面から視た斜視図である。図４は、（ａ）が両側部に嵌合ロック部２０、２０が設けられたコネクタハウジング１１を端子挿入口側から視た図であり、（ｂ）が（ａ）に示したコネクタハウジング１１の上面図である。図５は、本発明の実施例１に係るコネクタ嵌合ロック解除治具１の斜視図である。
本発明の実施例１に係るコネクタ嵌合ロック解除治具１は、ロック解除操作部分が設けられていない互いに嵌合される１組のコネクタのいずれか一方のコネクタのコネクタハウジングに設けられたコネクタ嵌合ロックのための複数の弾性ロック片をロック解除方向に撓ませることによって嵌合ロック状態を解除するための治具である。
【００２２】
まず、一方のコネクタ１０のコネクタハウジング１１について説明する。
コネクタハウジング１１は、絶縁樹脂材からなるブロック状をなし、内部に複数の端子収容室１２が設けられている。
このコネクタハウジング１１は、嵌合方向前端部を含んで相手コネクタ１１０と嵌合される部分となるコネクタ嵌合部１３と、嵌合方向後端側を含んで複数の端子収容室１２の大部分を構成する端子収容本体部１４と、相手コネクタのコネクタハウジング１１１（以下、「嵌合相手コネクタハウジング」という。）との嵌合状態をロックする一対の嵌合ロック部２０、２０と、を有してなる。
【００２３】
コネクタ嵌合部１３は、端子収容本体部１４の端子挿入口１４ａから端子１５の挿入方向に連続された端子収容室１２の一部を構成する複数の筒状隔壁１３ａを有し、各筒状隔壁１３ａの内部に相手端子との接続部１５ａの先端を嵌合方向に向けた状態、かつ、接続部１５ａを絶縁隔離した状態で端子１５が保持されるようになっている。
【００２４】
このコネクタ嵌合部１３は、複数並んだ筒状隔壁１３ａの基端部が相手コネクタの嵌合口の内縁面に沿った楕円形状をなし、相手コネクタ１１０と密接された嵌合がなされるようになっている。
【００２５】
端子収容本体部１４は、外郭矩形状のブロックの端面に各端子収容室１２に向けて端子１５を挿入する部分となる複数の端子挿入口１４ａが形成されている。
【００２６】
嵌合ロック部２０は、端子収容本体部１４の両側面に設けられ、後述するロック突起２３が相手コネクタ１１０のロック孔１１２に係合されることによって、コネクタ１０を相手コネクタ１１０と嵌合された状態でロックするものである。
【００２７】
この嵌合ロック部２０は、弾性的に撓み変形可能な弾性ロック片２１と、弾性ロック片２１を保護する壁であるロック保護壁２４と、を有してなる。
【００２８】
弾性ロック片２１は、端子収容本体部１４の側面に立設された固定端２２ａから自由端２２ｂとなる先端を嵌合方向前方に向けて屈曲された片状部分である弾性片部２２と、弾性片部２２の先端部に突設されたロック突起２３と、を有してなる。
【００２９】
弾性片部２２は、固定端２２ａから先端に向けて延びる部分が嵌合方向に沿って略真直ぐに延びた状態が中立姿勢になっている。
【００３０】
ロック突起２３は、嵌合方向後方に向けて上り傾斜状となるテーパ面２３ａが形成されている。
【００３１】
ロック保護壁２４は、弾性ロック片２１のロック突起２３が設けられた端部周辺領域が露出されるように弾性ロック片２１の端部周辺領域以外を囲う壁である。
より具体的には、ロック保護壁２４は、端子収容本体部１４の両側面に立設された一対の側壁２４ａ、２４ａと、一対の側壁２４ａ、２４ａの上端部を橋渡す天壁２４ｂと、を有し、弾性ロック片２１の固定端２２ａから嵌合相手コネクタハウジング１１１の嵌合部分に挿入される端部周辺領域の手前の位置まで弾性ロック片２１を囲う壁である。
【００３２】
このロック保護壁２４は、天壁２４ｂと弾性片部２２の外面との間にコネクタ嵌合ロック解除治具１のロック解除片が挿入できる隙間が形成されるように天壁２４ｂの高さが設定されている。
【００３３】
このような嵌合ロック部２０は、端子収容本体部１４の嵌合方向前端部寄りに配置されている。このため端子収容本体部１４の嵌合方向後端側の両側面１４ｂ、１４ｂには、コネクタ嵌合ロック解除治具１の後述する一対の操作壁４０、４０が対向配置されるスペースが確保されている。
【００３４】
次に、コネクタ嵌合ロック解除治具１について説明する。
コネクタ嵌合ロック解除治具１は、嵌合相手コネクタハウジング１１１の嵌合部分に形成された一対のロック孔１１２の内側から係合するように内側に弾性的に撓むことができるように設けられた一対の弾性ロック片２１、２１に対して一対の弾性ロック片２１、２１の固定端２２ａ側から嵌合方向に向けて一対の弾性ロック片２１、２１を保護する保護壁の内側に挿入され、かつ、一対の弾性ロック片２１、２１を一対のロック孔１１２との係合が解除されるように内側に撓ませる間隔で対向配置された一対のロック解除片３０、３０を有する。
【００３５】
また、コネクタ嵌合ロック解除治具１は、一対のロック解除片３０、３０の基端部に連続され、かつ、一対のロック解除片３０、３０が係合解除位置に配置された状態でコネクタハウジング１１の両側面に対向配置される一対の操作壁４０、４０と、一対の操作壁４０、４０をコネクタハウジング１１の両側面１４ｂ、１４ｂに押し当て可能に一対の操作壁４０、４０の一端部が固定端となり、他端部が自由端となるように一対の操作壁４０、４０の一端部を連結する連結部５０と、を有してなる。
【００３６】
一対の操作壁４０、４０は、固定端となる一端部に切込み４０ａが形成されており、この切込み４０ａによって、内側に撓み易くなっている。
また、一対の操作壁４０、４０の外表面には、作業者が押圧操作する際、指が滑り難いように滑り止め用の溝４０ｂが複数並んで形成されている。
【００３７】
連結部５０は、一対のロック解除片３０、３０が係合解除位置に配置された状態で端子収容本体部１４に干渉されないように端子収容本体部１４を跨いで一対の操作壁４０、４０の間を直線的に橋渡す板状部分である。
この連結部５０は、一対のロック解除片３０、３０を一対の嵌合ロック部２０、２０の弾性ロック片２１とロック保護壁２４との間の空間に同時に挿入することができ、かつ、一対の弾性ロック片２１、２１を内側に弾性的に撓ませることができる間隔で向かい合うように保持している。
【００３８】
一対のロック解除片３０、３０は、一対の操作壁４０、４０の自由端側からロック保護壁２４内への挿入方向に向けて突出されている。
このロック解除片３０、３０は、先端部の内面に先端から内方に向けて上り傾斜状のテーパ面３０ａが形成されている。
【００３９】
テーパ面３０ａは、弾性ロック片２１の固定端２２ａ側から弾性ロック片２１とロック保護壁２４との間の空間にロック解除片３０がスムーズに挿入されるようにガイドする面として機能する。
【００４０】
次に、図６を用いてコネクタ嵌合ロック解除治具１を用いて一組のコネクタ１０、１１０の嵌合ロックを解除する手順と各部の動作について説明する。
図６は、コネクタ嵌合ロック解除治具１を用いて一組のコネクタ１０、１１０の嵌合ロックを解除する手順と各部の動作について説明するための図である。
まず、作業者は、コネクタ嵌合ロック解除治具１の一対のロック解除片３０、３０をコネクタハウジング１１の両側部に設けられた対応する嵌合ロック部２０の弾性ロック片２１とロック保護壁２４との間の空間に挿通開始する（図６（ａ）参照）。
ここで、コネクタ嵌合ロック解除治具１の一対のロック解除片３０、３０が一対の嵌合ロック部２０、２０の弾性ロック片２１とロック保護壁２４との間の空間に同時に挿入することができる間隔で向かいあっているので、一方のロック解除片３０が対応する嵌合ロック部２０の弾性ロック片２１とロック保護壁２４との間の空間に挿通できる位置に位置決されれば、他方のロック解除片３０についても同時に位置決めされる。
【００４１】
一対のロック解除片３０、３０が弾性ロック片２１とロック保護壁２４との間の空間のさらに内方に挿入され、コネクタ嵌合ロック解除治具１が係合解除位置に配置されると、一対の弾性ロック片２１と一対のロック孔１１２との係合が解除される（図６（ｂ）参照）。
ここで、一対の操作壁４０、４０の端面が各ロック保護壁２４の端面に突き当たることによって、コネクタ嵌合ロック解除治具１が係合解除位置に配置される。
また、一対のロック解除片３０、３０が、一対の弾性ロック片２１、２１の固定端２２ａ側から嵌合方向に向けて各ロック保護壁２４の内側に挿入されることによって、一対の弾性ロック片２１、２１の固定端２２ａが内側に向けて押圧される。その作用として、弾性ロック片２１の先端が内側に向けて傾くことによって、ロック突起２３とロック孔１１２との係合が解除される。
【００４２】
このようにして一組のコネクタ１０、１１０の嵌合ロックが解除された後、一対の操作壁４０、４０によってコネクタハウジング１１の両側面を挟持した状態でコネクタハウジン１１を嵌合相手コネクタハウジング１１１との嵌合が外れる方向に引っ張ることによってコネクタハウジング１１が嵌合相手コネクタハウジング１１１から外れる。
すなわち、一対の操作壁４０、４０を用いたコネクタ嵌合ロック解除治具１による嵌合ロック解除作業に連続して、コネクタハウジング１１を嵌合相手コネクタハウジング１１１から外す作業を行うことができるようになっている。
【００４３】
本発明の実施例１に係るコネクタ嵌合ロック解除治具１は、一対のロック解除片３０、３０がロック解除操作部分が設けられていない互いに嵌合される１組のコネクタ１０、１１０のいずれか一方のコネクタ１０のコネクタハウジング１１に設けられたコネクタ嵌合ロックのための一対の弾性ロック片２１、２１をロック解除方向に撓ませることができるように互いに連結され、一対の弾性ロック片２１、２１を同時にロック解除することができるので、治具を持たない作業者が互いに嵌合される１組のコネクタ１０、１１０の嵌合ロックを誤って解除することを防ぐことができるとともに、互いに嵌合される１組のコネクタ１０、１１０に複数設けられた嵌合ロックを容易に解除することができる。
【００４４】
また、本発明の実施例１に係るコネクタ嵌合ロック解除治具１は、一対のロック解除片３０、３０が一対の弾性ロック片２１、２１の固定端２２ａ側から嵌合方向に向けて一対の弾性ロック片を保護する保護壁の内側に挿入され、かつ、前記一対の弾性ロック片を前記一対のロック孔１１２、１１２との係合が解除されるように内側に撓ませる間隔で対向配置されているので、ロック保護壁２４によって保護されることによって作業者が誤ってロックを解除することができない一対の弾性ロック片２１、２１と一対のロック孔１１２、１１２との係合を同時に解除することができ、結果的に、治具を持たない作業者が互いに嵌合される１組のコネクタ１０、１１０の嵌合ロックを誤って解除することを防ぐことができるとともに、互いに嵌合される１組のコネクタ１０、１１０に複数設けられた嵌合ロックを容易に解除することができる。
【００４５】
また、本発明の実施例１に係るコネクタ嵌合ロック解除治具１は、一対のロック解除片３０、３０が係合解除位置に配置された状態で一対の操作壁４０、４０がコネクタハウジング１１の両側面１４ｂ、１４ｂに向けて押圧されることによって、一対の操作壁４０、４０によってコネクタハウジング１１の両側面１４ｂ、１４ｂが挟持されるようになっているので、当該コネクタ嵌合ロック解除治具１によって嵌合ロックを解除した後、一対の操作壁４０、４０によって両側面１４ｂ、１４ｂを挟持した状態でコネクタハウジング１１を嵌合相手コネクタハウジング１１１との嵌合が外れる方向に引っ張ることによってコネクタハウジング１１を嵌合相手コネクタハウジング１１１から外すことができ、結果的に、一対の操作壁４０、４０を用いた当該コネクタ嵌合ロック解除治具１による嵌合ロック解除作業に連続して、コネクタハウジング１１を嵌合相手コネクタハウジング１１１から外す作業を行うことができる。
（変形例）
【００４６】
次に、図７を用いて、本発明の実施例１に係るコネクタ嵌合ロック解除治具１の変形例について説明する。
図７は、変形例のコネクタ嵌合ロック解除治具２の斜視図である。
この変形例のコネクタ嵌合ロック解除治具２は、一対のロック解除片に加えてさらに一つのロック解除片を有してなる点で、実施例１のコネクタ嵌合ロック解除治具１と異なる。
なお、その他の構成は実施例１と同様であり、実施例１と同一構成部分には同一符号を付しその説明を省略している。
【００４７】
この変形例のコネクタ嵌合ロック解除治具２は、連結部５０から嵌合方向に向けて突出されるように一つのロック解除片３０が設けられている。
このロック解除片３０は、図示しないが、コネクタハウジング１１の両側部に向けられ嵌合ロック部２０以外にさらに一つ追加で設けられた嵌合ロック部２０に対応して設けられている。
【００４８】
この変形例のコネクタ嵌合ロック解除治具２は、実施例１のコネクタ嵌合ロック解除治具１と同様の効果を奏することができる。
また、変形例のように、コネクタハウジング１１に設けられる嵌合ロック部２０の数に応じてコネクタ嵌合ロック解除治具にロック解除片３０を設けるようにすれば、実施例１に示した数以外の複数の弾性ロック片２１とロック孔との係合を同時に解除することができる。
【実施例２】
【００４９】
次に、図８および図９を用いて、本発明の実施例２に係るコネクタ嵌合ロック解除治具３について説明する。
図８は、（ａ）が本発明の実施例２に係るコネクタ嵌合ロック解除治具３を互いに嵌合された一組のコネクタ１０、１１０のロックを解除する位置にセットする前の状態を示した斜視図であり、（ｂ）がコネクタ嵌合ロック解除治具３を互いに嵌合された一組のコネクタ１０、１１０のロックを解除する位置にセット完了した状態を示した斜視図である。図９は、本発明の実施例２に係るコネクタ嵌合ロック解除治具３の斜視図である。
この実施例２のコネクタ嵌合ロック解除治具３は、一対のロック解除片３１、３１が対応するロック保護壁２４の外面側からロック保護壁２４に設けられた開口２４ｃ内に爪部３１ａを挿入させて一対の弾性ロック片２１と一対のロック孔１１２との係合を同時に解除するようになっている点で、実施例１のコネクタ嵌合ロック解除治具１と異なる。
なお、その他の構成は実施例１と同様であり、実施例１と同一構成部分には同一符号を付しその説明を省略している。
【００５０】
コネクタ嵌合ロック解除治具３は、嵌合相手コネクタハウジング１１１の嵌合部分に形成された一対のロック孔１１２、１１２の内側からロック突起２３を係合するようにコネクタハウジング１１の両側部に内側に弾性的に撓むことができるように設けられた一対の弾性ロック片２１、２１に対して一対の弾性ロック片２１、２１の固定端側から嵌合方向に向けて一対の弾性ロック片２１、２１を保護するロック保護壁２４の外側に位置され、かつ、一対の弾性ロック片２１、２１を一対のロック孔１１２、１１２との係合が解除される内側に撓ませるようにロック保護壁２４に形成された開口２４ｃに挿入可能に設けられた爪部３１ａを有して互いに連結された一対のロック解除片３１、３１を有する。
【００５１】
ロック解除片３１は、先端が直角に屈曲されることによって爪部３１ａが形成されている。
【００５２】
また、コネクタ嵌合ロック解除治具３は、一対のロック解除片３１、３１の基端部に連続された一対の操作壁４０、４０と、一対の操作壁４０、４０を内側に押し当て可能に一対の操作壁４０、４０の一端部が固定端となり、他端部が自由端となるように一対の操作壁４０、４０の一端部を連結する連結部５０と、を有してなる。
【００５３】
一対のロック解除片３１、３１は、互いの爪部３１ａを内側にして、かつ、コネクタハウジング１１の両側部に設けられた一対のロック保護壁２４を外面側から挟持することができる間隔で一対の操作壁４０、４０に連結されている。
【００５４】
このようなコネクタ嵌合ロック解除治具３は、一対のロック解除片３１、３１の爪部３１ａが対応するロック保護壁２４の開口２４ｃに挿入された状態で一対の操作壁４０、４０が内側に向けて押圧されることによって、一対のロック解除片３１、３１の爪部３１ａが対応する開口２４ｃ内に挿入された状態で、一対のロック解除片３１、３１によって対応するロック保護壁２４の外面側からコネクタハウジング１１が挟持される。
【００５５】
本発明の実施例２に係るコネクタ嵌合ロック解除治具３は、実施例１のコネクタ嵌合ロック解除治具１と同様に、一対のロック解除片３１、３１がロック解除操作部分が設けられていない互いに嵌合される１組のコネクタ１０、１１０のいずれか一方のコネクタ１０のコネクタハウジング１１に設けられたコネクタ嵌合ロックのための一対の弾性ロック片２１、２１をロック解除方向に撓ませることができるように互いに連結され、一対の弾性ロック片２１、２１を同時にロック解除することができるので、治具を持たない作業者が互いに嵌合される１組のコネクタ１０、１１０の嵌合ロックを誤って解除することを防ぐことができるとともに、互いに嵌合される１組のコネクタ１０、１１０に複数設けられた嵌合ロックを容易に解除することができる。
【００５６】
また、本発明の実施例２に係るコネクタ嵌合ロック解除治具３は、一対のロック解除片３１、３１が一対の弾性ロック片２１、２１の固定端側から嵌合方向に向けて一対の弾性ロック片２１、２１を保護するロック保護壁２４の外側に位置され、かつ、一対の弾性ロック片２１、２１を一対のロック孔１１２、１１２との係合が解除される内側に撓ませるようにロック保護壁２１に形成された開口２４ｃに挿入可能に設けられた爪部３１ａを有して互いに連結されているので、ロック保護壁２１によって保護されることによって作業者が誤ってロックを解除することができない一対の弾性ロック片２１、２１と一対のロック孔１１２、１１２との係合を同時に解除することができ、結果的に、治具を持たない作業者が互いに嵌合される１組のコネクタ１０、１１０の嵌合ロックを誤って解除することを防ぐことができるとともに、互いに嵌合される１組のコネクタ１０、１１０に複数設けられた嵌合ロックを容易に解除することができる。
【００５７】
また、本発明の実施例２に係るコネクタ嵌合ロック解除治具３は、一対のロック解除片３１、３１が係合解除位置に配置された状態で一対の操作壁４０、４０が内側に向けて押圧されることによって、一対のロック解除片３１、３１の爪部３１ａが対応する開口２４ｃ内に挿入された状態で、一対のロック解除片３１、３１によって対応するロック保護壁２４の外面側から一方のコネクタ１０のコネクタハウジング１１が挟持されるようになっているので、当該コネクタ嵌合ロック解除治具３によって嵌合ロックを解除した後、一対のロック解除片３１、３１によって一方のコネクタ１０のコネクタハウジング１１をロック保護壁２４の外面側から挟持した状態、かつ、爪部３１ａを開口２４ｃに引っ掛けた状態で一方のコネクタ１０のコネクタハウジング１１を嵌合相手コネクタハウジング１１１との嵌合が外れる方向に引っ張ることによって一方のコネクタ１０のコネクタハウジング１１を嵌合相手コネクタハウジング１１１から外すことができ、結果的に、一対の操作壁４０、４０を用いた当該コネクタ嵌合ロック解除治具３による嵌合ロック解除作業に連続して、一方のコネクタ１０のコネクタハウジング１１を嵌合相手コネクタハウジング１１１から外す作業を行うことができる。
【００５８】
なお、本発明の実施例２に係るコネクタ嵌合ロック解除治具３は、一対のロック解除片３１、３１を有するものを例示したが、実施例１の変形例と同様にして２つ以上のロック解除片を設けるようにしても構わない。
【実施例３】
【００５９】
次に、図１０および図１１を用いて、本発明の実施例３に係るコネクタ嵌合ロック解除治具４について説明する。
図１０は、（ａ）が本発明の実施例３に係るコネクタ嵌合ロック解除治具４を互いに嵌合された一組のコネクタ１０、１１０のロックを解除する位置にセットする前の状態を示した斜視図であり、（ｂ）がコネクタ嵌合ロック解除治具４を互いに嵌合された一組のコネクタ１０，１１０のロックを解除する位置にセット完了した状態を示した斜視図である。図１１は、一組のコネクタ１０、１１０が嵌合される前の状態を示した斜視図である。
この実施例３のコネクタ嵌合ロック解除治具４は、一対の弾性ロック片２５、２５がコネクタハウジング１１側でなく嵌合相手コネクタハウジング１１１側に設けられている点、および、各弾性ロック片２５を保護するロック保護壁が設けられていない点、さらには、弾性ロック片２５を外側に撓ませて嵌合ロックを解除するようになっている点で、実施例１のコネクタ嵌合ロック解除治具１と異なる。
なお、その他の構成は実施例１と同様であり、実施例１と同一構成部分には同一符号を付しその説明を省略している。
【００６０】
コネクタ嵌合ロック解除治具４は、互いに嵌合される１組のコネクタ１０、１１０いずれか一方のコネクタ１１０のコネクタハウジング１１１に設けられたコネクタ嵌合ロックのための一対の弾性ロック片２５、２５をロック解除方向に撓ませることができるように互いに連結された一対のロック解除片３２、３２を有する。
より具体的には、コネクタ嵌合ロック解除治具４は、コネクタハウジング１１に形成された一対のロック孔１６、１６の外側から係合するように外側に弾性的に撓むことができるように嵌合相手コネクタハウジング１１１に設けられた一対の弾性ロック片２５、２５に対して一対の弾性ロック片２５、２５の自由端側から嵌合方向に向けて一対の弾性ロック片２５、２５の内側に挿入され、かつ、一対の弾性ロック片２５、２５を一対のロック孔１６、１６との係合が解除されるように外側に撓ませる（図１０（ｂ）参照）間隔で対向配置された一対のロック解除片３２、３２を有する。
【００６１】
本発明の実施例３に係るコネクタ嵌合ロック解除治具４は、実施例１のコネクタ嵌合ロック解除治具１と同様に、一対のロック解除片３２、３２がロック解除操作部分が設けられていない互いに嵌合される１組のコネクタ１０、１１０のいずれか一方のコネクタ１１０のコネクタハウジング１１１に設けられたコネクタ嵌合ロックのための一対の弾性ロック片２１、２１をロック解除方向に撓ませることができるように互いに連結され、一対の弾性ロック片２５、２５を同時にロック解除することができるので、治具を持たない作業者が互いに嵌合される１組のコネクタ１０、１１０の嵌合ロックを誤って解除することを防ぐことができるとともに、互いに嵌合される１組のコネクタ１０、１１０に複数設けられた嵌合ロックを容易に解除することができる。
【００６２】
なお、本発明の実施例３に係るコネクタ嵌合ロック解除治具４は、一対のロック解除片３２、３２を有するものを例示したが、実施例１の変形例と同様にして２つ以上のロック解除片を設けるようにしても構わない。
【００６３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６４】
１、２、３、４    コネクタ嵌合ロック解除治具
３０、３１、３２  ロック解除片
３０ａ            テーパ面
４０              操作壁
４０ａ            切り込み
４０ｂ            溝
５０              連結部
１０              コネクタ
１１              コネクタハウジング（一方のコネクタのコネクタハウジング）
１２              端子収容室
１３              コネクタ嵌合部
１３ａ            筒状隔壁
１４              端子収容本体部
１４ａ            端子挿入口
１４ｂ            側面
１５              端子
１５ａ            接続部
１６              ロック孔
２０              嵌合ロック部
２１、２５        弾性ロック片
２２              弾性片部
２２ａ            固定端
２２ｂ            自由端
２３              ロック突起
２３ａ            テーパ面
２４              ロック保護壁（保護壁）
２４ａ            側壁
２４ｂ            天壁
２４ｃ            開口
１１０            相手コネクタ（コネクタ）
１１１            嵌合相手コネクタハウジング
１１２            ロック孔
【図１】
2018206522.tif 000003
【図２】
2018206522.tif 000004
【図３】
2018206522.tif 000005
【図４】
2018206522.tif 000006
【図５】
2018206522.tif 000007
【図６】
2018206522.tif 000008
【図７】
2018206522.tif 000009
【図８】
2018206522.tif 000010
【図９】
2018206522.tif 000011
【図１０】
2018206522.tif 000012
【図１１】
2018206522.tif 000013